(57)【要約】【課題】安全性を向上する。【解決手段】厨房用レンジフード１００は、排気口１１８ａを有するフード本体１１０と、フード本体１１０に取り付けられるフィルタ部材と、フィルタ部材に取り付けられ、フィルタ部材よりもフード本体１１０の排気口１１８ａ側に位置し、紫外線を発生させる紫外線発生部２２０（ＵＶランプ２２４）と、を備える。フィルタ装置２００を取り外すことで、紫外線発生部２２０（ＵＶランプ２２４）をフィルタ部材と一体に取り外すことができる。【選択図】図１
2019152376.tif 000002
【特許請求の範囲】
【請求項１】
排気口を有するフード本体と、
前記フード本体に取り付けられるフィルタ部材と、
前記フィルタ部材に取り付けられ、前記フィルタ部材よりも前記フード本体の前記排気口側に位置し、紫外線を発生させる紫外線発生部と、
を備える厨房用レンジフード。
【請求項２】
前記フィルタ部材は、前記紫外線発生部に対して表裏を反転して取り付け可能である請求項１に記載の厨房用レンジフード。
【請求項３】
安定器に一端が接続された第１ケーブルと、
前記紫外線発生部に一端が接続された第２ケーブルと、
前記第１ケーブルの他端に設けられた第１部材、および、前記第２ケーブルの他端に設けられた第２部材を有し、前記第１部材と前記第２部材によって、前記第１ケーブルと前記第２ケーブルとの連結および切り離しが可能なコネクタと、
を備える請求項１または２に記載の厨房用レンジフード。
【請求項４】
前記第１ケーブルは、他端を前記フード本体の外部まで引き出せる長さを有する請求項３に記載の厨房用レンジフード。
【発明の詳細な説明】
【技術分野】
【０００１】
本発明は、厨房に設けられた厨房用レンジフードに関する。
【背景技術】
【０００２】
厨房用レンジフードでは、排気ガス中の油分が付着した油汚れが問題となっている。そこで、例えば、特許文献１には、厨房用レンジフードの内部に、ＵＶランプが設けられた構成が開示されている。ＵＶランプは、フィルタから排気口側に離隔して配置される。また、特許文献２には、フィルタに対して、排気口と反対側（厨房側）にＵＶランプが設けられた構成が記載されている。
【先行技術文献】
【特許文献】
【０００３】
【特許文献１】実用新案登録第３１７６０６４号公報
【特許文献２】特開平０９−１８９４４１号公報
【発明の概要】
【発明が解決しようとする課題】
【０００４】
特許文献１に記載された技術では、清掃のためにフィルタを取り外すと、流通経路内に取り残されたＵＶランプが露出する。そのため、ＵＶランプが破損した場合、破片が飛散してしまうおそれがある。
【０００５】
また、特許文献２に記載された技術では、厨房側に位置するＵＶランプから照射された紫外線や発生したオゾンが厨房側に漏洩するおそれがある。このように、ＵＶランプを設けた厨房用レンジフードについて、安全性を向上する技術の開発が希求される。
【０００６】
本発明は、このような課題に鑑み、安全性を向上することが可能な厨房用レンジフードを提供することを目的としている。
【課題を解決するための手段】
【０００７】
上記課題を解決するために、本発明の厨房用レンジフードは、排気口を有するフード本体と、フード本体に取り付けられるフィルタ部材と、フィルタ部材に取り付けられ、フィルタ部材よりもフード本体の排気口側に位置し、紫外線を発生させる紫外線発生部と、を備える。
【０００８】
フィルタ部材は、紫外線発生部に対して表裏を反転して取り付け可能であってもよい。
【０００９】
安定器に一端が接続された第１ケーブルと、紫外線発生部に一端が接続された第２ケーブルと、第１ケーブルの他端に設けられた第１部材、および、第２ケーブルの他端に設けられた第２部材を有し、第１部材と第２部材によって、第１ケーブルと第２ケーブルとの連結および切り離しが可能なコネクタと、を備えてもよい。
【００１０】
第１ケーブルは、他端をフード本体の外部まで引き出せる長さを有してもよい。
【発明の効果】
【００１１】
本発明によれば、安全性を向上することが可能となる。
【図面の簡単な説明】
【００１２】
【図１】厨房用レンジフードの概略的な構成を示した説明図である。
【図２】フィルタ装置を説明するための図である。
【発明を実施するための形態】
【００１３】
以下に添付図面を参照しながら、本発明の好適な実施形態について詳細に説明する。かかる実施形態に示す寸法、材料、その他具体的な数値等は、発明の理解を容易とするための例示にすぎず、特に断る場合を除き、本発明を限定するものではない。なお、本明細書および図面において、実質的に同一の機能、構成を有する要素については、同一の符号を付することにより重複説明を省略し、また本発明に直接関係のない要素は図示を省略する。
【００１４】
図１は、厨房用レンジフード１００の概略的な構成を示した説明図である。厨房用レンジフード１００は、厨房１の調理機器２の上方に設けられる。厨房用レンジフード１００は、中空のフード本体１１０を有する。
【００１５】
フード本体１１０は、例えば、大凡矩形形状である。フード本体１１０の後壁部１１２は、壁３に取り付けられる。フード本体１１０の前壁部１１４は、厨房１の内側に突出する。前壁部１１４には、吸気孔１１４ａが設けられる。吸気孔１１４ａは、前壁部１１４を貫通する。吸気孔１１４ａにはフィルタカバー１３０が取り付けられる。
【００１６】
また、フード本体１１０は、下方に開口する開口部１１６を有する。開口部１１６は、フード本体１１０のうち、調理機器２に面する側に設けられる。フード本体１１０のうち、天井側（図１中、上側）の上壁部１１８には、排気口１１８ａおよび吸気口１１８ｂが設けられる。
【００１７】
排気口１１８ａおよび吸気口１１８ｂは、上壁部１１８を貫通する。排気口１１８ａは、不図示の排気ファンが設けられた排気通路に連通する。排気ファンによって、排気口１１８ａから厨房１の排気が吸引されて屋外に排出される。
【００１８】
排気口１１８ａは、上壁部１１８のうち、壁３側に設けられる。吸気口１１８ｂは、上壁部１１８のうち、排気口１１８ａに対して壁３と反対側に設けられる。吸気口１１８ｂは、不図示の吸気ファンが設けられた吸気通路に連通する。吸気ファンによって、外気が吸気口１１８ｂから厨房１に吸引される。
【００１９】
フード本体１１０の内部には、第１仕切部材１５０および第２仕切部材１６０が設けられる。第１仕切部材１５０および第２仕切部材１６０は、例えば、屈曲した板部材である。
【００２０】
第１仕切部材１５０の下端は、フード本体１１０の後壁部１１２の内面のうち、開口部１１６側に位置する。第１仕切部材１５０の上端は、上壁部１１８の内面に位置する。第１仕切部材１５０の上端は、排気口１１８ａよりも後壁部１１２から離隔する。
【００２１】
第１仕切部材１５０は、フィルタ孔１５２を有する。フィルタ孔１５２は、第１仕切部材１５０を貫通する。フィルタ孔１５２には、フィルタ装置２００が挿通されて取り付けられる。第１仕切部材１５０およびフィルタ装置２００によって、フード本体１１０の内部が仕切られて第１内部空間Ｓａが形成される。排気口１１８ａは、第１内部空間Ｓａに開口する。第１内部空間Ｓａは、上記の排気通路に連通する。
【００２２】
第１内部空間Ｓａは、第１仕切部材１５０、フィルタ装置２００、後壁部１１２、上壁部１１８によって囲繞される。すなわち、フィルタ装置２００は、フード本体１１０の外部に対して、フード本体１１０の排気口１１８ａ側の第１内部空間Ｓａを仕切る。
【００２３】
排気ファンによって第１内部空間Ｓａ内の排気が吸引されると、フィルタ装置２００を介して、厨房１内の排気が第１内部空間Ｓａに吸引される。そのため、フィルタ装置２００によって、排気中の油脂などが除去されることとなる。フィルタ装置２００については後述する。
【００２４】
第２仕切部材１６０の下端は、フード本体１１０の前壁部１１４の内面のうち、開口部１１６側に位置する。第２仕切部材１６０の上端は、上壁部１１８の内面に位置する。第２仕切部材１６０の上端は、吸気口１１８ｂよりも前壁部１１４から離隔する。
【００２５】
第２仕切部材１６０によって、フード本体１１０の内部が仕切られて第２内部空間Ｓｂが形成される。吸気口１１８ｂおよび吸気孔１１４ａは、第２内部空間Ｓｂに開口する。第２内部空間Ｓｂは、上記の吸気通路に連通する。第２内部空間Ｓｂは、第２仕切部材１６０、前壁部１１４、上壁部１１８によって囲繞される。
【００２６】
吸気ファンによって第２内部空間Ｓｂ内に外気が吸引されると、吸気孔１１４ａのフィルタカバー１３０を介して、外気が厨房１内に送出される。こうして、厨房１の換気が行われる。
【００２７】
第１仕切部材１５０と第２仕切部材１６０の間には、カバー部材１７０が設けられる。カバー部材１７０は、例えば、板部材である。カバー部材１７０は、上壁部１１８から離隔してフード本体１１０の内部に設けられる。カバー部材１７０は、第１仕切部材１５０から第２仕切部材１６０まで延在する。
【００２８】
カバー部材１７０には、照明１７２が取り付けられる。カバー部材１７０は、開口部１１６に面している。照明１７２は、不図示の電源から供給された電力によって発光し、フード本体１１０の内部を照らす。
【００２９】
第２仕切部材１６０のうち、第２内部空間Ｓｂ側の内面には、安定器１６２が配される。安定器１６２は、不図示の電源から供給された電力（電流）に対し、安定化制御を遂行する。例えば、安定器１６２は、予め設定された規定範囲内となるように、電力を制御する。
【００３０】
安定器１６２には、第１ケーブル１６４の一端が接続される。第１ケーブル１６４は、第２仕切部材１６０を貫通し、カバー部材１７０と上壁部１１８との間を通って、第１仕切部材１５０を貫通する。第１ケーブル１６４の他端には、コネクタ１８０が取り付けられる。
【００３１】
コネクタ１８０は、フィルタ装置２００の外部であって、第１内部空間Ｓａに配される。コネクタ１８０は、第１部材１８２および第２部材１８４で構成される。第１部材１８２は、第１ケーブル１６４の他端に取り付けられる。第１部材１８２と第２部材１８４は、着脱可能である。
【００３２】
フィルタ装置２００には、第２ケーブル１６６の一端が接続される。第２ケーブル１６６の他端には、第２部材１８４が取り付けられる。第１部材１８２と第２部材１８４によって、第１ケーブル１６４と第２ケーブル１６６との連結および切り離しが可能である。
【００３３】
ここで、第１ケーブル１６４の一端は、安定器１６２に取り付けられているため、第１ケーブル１６４が短いと、フィルタ装置２００を取り外しても、フィルタ装置２００を下方に降ろしきれないことがある。本実施形態では、第１ケーブル１６４の長さは、安定器１６２から上壁部１１８とカバー部材１７０との間を通ってフィルタ孔１５２に至るまでの経路よりも長い。すなわち、第１ケーブル１６４は、他端をフード本体１１０の外部まで引き出せる長さを有する。
【００３４】
そのため、フィルタ装置２００をフィルタ孔１５２から取り外して下方に降ろした後、同時に引き出されたコネクタ１８０の第１部材１８２と第２部材１８４とを切り離すことができる。こうして、第１ケーブル１６４と第２ケーブル１６６の切り離しが可能となる。そのため、フィルタ装置２００のメンテナンスが容易となる。
【００３５】
図２は、フィルタ装置２００を説明するための図である。図２（ａ）に示すように、フィルタ装置２００は、フィルタ部材２１０、紫外線発生部２２０を含んで構成される。
【００３６】
フィルタ部材２１０は、例えば、グリースフィルタで構成される。フィルタ部材２１０は、矩形形状の枠部２１２を有する。枠部２１２には、矩形の貫通孔２１２ａが形成される。枠部２１２の内部には、フィルタ２１４が設けられる。フィルタ２１４は、例えば、金属のメッシュ構造である。
【００３７】
紫外線発生部２２０は、ケーシング２２２を有する。ケーシング２２２は、中空であって、内部にＵＶランプ２２４が配される。ケーシング２２２には、フィルタ部材２１０が取り付けられる。
【００３８】
図２（ｂ）に示すように、ケーシング２２２に対して、フィルタ部材２１０が着脱可能である。ケーシング２２２には、開口部２２２ａが形成される。開口部２２２ａは、ケーシング２２２のうち、フィルタ部材２１０側に位置する。フィルタ部材２１０とケーシング２２２が取り付けられた状態で、開口部２２２ａは、フィルタ２１４に面する。フィルタ部材２１０によって開口部２２２ａが覆われる。
【００３９】
図１に示すように、フィルタ装置２００がフィルタ孔１５２に取り付けられた状態では、紫外線発生部２２０は、第１内部空間Ｓａに位置する。第２ケーブル１６６の一端は、紫外線発生部２２０に接続される。安定器１６２から紫外線発生部２２０に電力が供給されると、紫外線発生部２２０は、紫外線を照射する。
【００４０】
厨房１からの排気は、フィルタ装置２００のうち、フィルタ部材２１０のフィルタ２１４を通って、ケーシング２２２に流入する。ケーシング２２２には、不図示の空気孔が形成されており、排気は空気孔を通って第１内部空間Ｓａに流入し、排気口１１８ａから排気される。
【００４１】
排気中に含まれる油脂は、フィルタ２１４に付着する。紫外線発生部２２０のＵＶランプ２２４は、フィルタ２１４に紫外線を照射する。紫外線によってフィルタ２１４に付着した油脂が気化する。
【００４２】
ここで、フィルタ部材２１０には、例えば、不図示のレール溝が形成される。レール溝は、図２（ｂ）、図２（ｃ）中、白抜きの矢印で示すスライド方向に平行に延在する。また、ケーシング２２２には、不図示の突出部が形成される。突出部は、レール溝と平行に延在する。ケーシング２２２の突出部がフィルタ部材２１０のレール溝に嵌合することで、フィルタ部材２１０がケーシング２２２に取り付けられる。
【００４３】
ここでは、ケーシング２２２とフィルタ部材２１０の取付構造の一例を示したが、紫外線発生部２２０（ケーシング２２２）がフィルタ部材２１０に取り付けられれば、他の取付構造であってもよい。
【００４４】
ところで、フィルタ２１４においては、紫外線発生部２２０と反対側（厨房１側）の方が、油脂が付着し易い。一方、フィルタ２１４のうち、紫外線発生部２２０側は、紫外線によって油脂が除去され易い。
【００４５】
厨房用レンジフード１００を使用して所定期間が経過した後、図２（ｂ）に白抜き矢印で示すように、フィルタ部材２１０をケーシング２２２に対してスライドさせ、フィルタ部材２１０をケーシング２２２から取り外す。そして、フィルタ部材２１０を反転させて、図２（ｃ）に示すように、再び、フィルタ部材２１０をケーシング２２２に取り付ける。
【００４６】
このように、フィルタ部材２１０は、紫外線発生部２２０に対して表裏を反転して取り付け可能である。すなわち、フィルタ部材２１０は、リバーシブル構造である。ケーシング２２２の上記の突出部は、表面２１０ａおよび裏面２１０ｂの双方に形成される。図２（ｂ）、図２（ｃ）に示すように、フィルタ部材２１０を反転させることで、フィルタ部材２１０の表面２１０ａを紫外線発生部２２０側に向けて、取り付け可能となっている。
【００４７】
そのため、フィルタ部材２１０のうち、油脂が付着した側を紫外線発生部２２０に向けて、効率的な油脂の除去が可能となる。
【００４８】
上述したように、厨房用レンジフード１００では、フィルタ装置２００を取り外すことで、紫外線発生部２２０をフィルタ部材２１０と一体に取り外すことができる。ＵＶランプ２２４がフード本体１１０の内部に露出した状態で取り残されないため、ＵＶランプ２２４が破損して破片が飛散する事態が回避される。また、紫外線発生部２２０は、フィルタ部材２１０よりも排気口１１８ａ側に位置しているため、厨房１側に位置する場合に比べて、紫外線によって生成されたオゾンや紫外線が厨房１側に漏れ難い。このように、厨房用レンジフード１００では、安全性が向上する。
【００４９】
以上、添付図面を参照しながら本発明の好適な実施形態について説明したが、本発明はかかる実施形態に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【００５０】
例えば、上述した実施形態では、紫外線発生部２２０は、ケーシング２２２とＵＶランプ２２４を含んで構成される場合について説明した。しかし、ケーシング２２２は、必須の構成ではない。紫外線発生部２２０は、ＵＶランプ２２４のみで構成されてもよい。
【００５１】
また、上述した実施形態では、フィルタ部材２１０がリバーシブル構造である場合について説明した。しかし、フィルタ部材２１０は、リバーシブル構造でなくてもよい。フィルタ部材２１０は、常に、同じ向きに紫外線発生部２２０に取り付けられてもよい。
【００５２】
また、上述した実施形態では、第１ケーブル１６４、第２ケーブル１６６、コネクタ１８０が設けられる場合について説明した。しかし、例えば、コネクタ１８０を介さずに、１本のケーブルで安定器１６２とＵＶランプ２２４が結線されていてもよい。
【００５３】
また、上述した実施形態では、第１ケーブル１６４が、他端をフード本体１１０の外部まで引き出せる長さを有する場合について説明した。ただし、第１ケーブル１６４の長さは、これより短くてもよい。
【産業上の利用可能性】
【００５４】
本発明は、厨房に設けられた厨房用レンジフードに利用することができる。
【符号の説明】
【００５５】
１００  厨房用レンジフード
１１０  フード本体
１１８ａ  排気口
１６２  安定器
１６４  第１ケーブル
１６６  第２ケーブル
１８０  コネクタ
１８２  第１部材
１８４  第２部材
２１０  フィルタ部材
２２０  紫外線発生部
【図１】
2019152376.tif 000003
【図２】
2019152376.tif 000004